(57)【要約】      （修正有）【課題】ミニアチュア着物と着物と同じような染模様で現するために、フィルムカメラやデジタルカメラで簡単に撮影した写真をパソコンに入力し、画像編集を使いミニアチュア着物または、小さな着物を製造する方法。【解決手段】画像処理で反物のように展開するためにグラフィックソフトでガイドラインを使い小さな着物の寸法を現し、写真画像をあてはめる。グラフィックソフトで模様や繊細な染めぼかし部分の縫い目や影がスタンプツールで違和感のないような状態にする。グラフィックソフトで仕立て上げるため画像をつなぎ合わせ、反物にする。【選択図】図２
2005205139.tif 000002
【特許請求の範囲】
【請求項１】
着物を衣桁等に掛けた形態で、フィルムカメラやデジタルカメラで簡単に撮影した写真やデーターをパソコンに入力しグラフィックソフトを使い、ガイド線を表示させ小さな着物の寸法を現し、写真画像をあてはめ模様や繊細な染めぼかし部分の縫い目や影をスタンプツールで違和感のないような状態にし、仕立て上げるため画像を反物のようにつなぎ合わせ現寸大の着物をミニアチュア着物にする方法。
【請求項２】
上記ミニアチュア着物に画面上で新たに絵付けを施し、小さな着物を製造する方法。
【発明の詳細な説明】
【技術分野】
【０００１】  ミニアチュア着物と着物を同じような染模様でミニアチュア着物に再現するためのパソコンとその画像編集、入力  装置、出力装置に関する。
【背景技術】
【０００２】  従来、この種の技術は無く、ミニアチュア着物として市松人形の着物、日本人形の着物などがプリント、友禅染、捺染技術等染織を用いている。
【発明の開示】
【発明が解決しようとする課題】
【０００３】  従来小さな着物は、市松人形や日本人形の着物などが捺染技術を用いて製造されていた。本発明は、パソコンを使い従来の型染めでは無く、画像編集作業によりミニアチュア着物を作り出すことで自由に縮小拡大ができ、捺染で必要な型が不必要となる。型染めの場合色の数だけ型紙が必要であるが、本発明は自由に配色が組める。【０００４】  更に、きものを衣桁に掛けた状態で、フィルムカメラやデジタルカメラで撮影した写真は、撮影時に簡単に撮影するため、しわや影ができる。また、仕立てあがった着物は縫い目が写真に写ってしまい均一な染色ができない。【０００５】  写真で撮った着物は着るために仕立てあがったものであり、それを展開し反物のように再現しなければ実物の縮小着物の再現は困難である。
上記小さな着物も画像編集で実行できるように課題として研究をすすめた。
【課題を解決するための手段】
【０００６】  本発明は、その困難な画像処理で反物のように展開するために次のような手段を発見した。
着物を衣桁等に掛けた形態で、フィルムカメラやデジタルカメラを使用し簡単に撮影した写真及びデーターをパソコンに入力し、グラフィックソフトを使いガイド線を表示させ小さな着物の寸法を現し、写真画像をあてはめ模様や繊細な染めぼかし部分の縫い目や影をスタンプツールで違和感のないような状態にし、仕立て上げるために画像を反物のようにつなぎ合わせ現寸大の着物をミニアチュア着物にする
【発明の効果】
【０００７】  自分の手元にあるお気に入りの着物を着るだけではなく、いつも見て楽しむことができ、ミニアチュアとして飾ることができる。【０００８】  更に、画像編集作業によりミニアチュア着物を作り出すことにより自由に縮小拡大ができ、捺染で必要な型が不必要となる。型染めの場合色の数だけ型紙が必要であるが、本発明は自由に配色が組める。
【発明を実施するための最良の形態１】
【０００９】
【実施例】次に、本発明の実施の形態についてパソコン画面上を例にあげて説明する。【００１０】  本発明は、着物を衣桁に掛けた状態で、フィルムカメラやデジタルカメラで簡単に撮影された着物の写真をパソコンに入力し、グラフィックソフト好ましくはＡｄｏｂｅＰｈｏｔｏｓｈｏｐを使い画面上で写真を一致させるため、着物を後ろから見た形の縫い込み線と端の線をグラフィックソフトの定規を表示させガイド線を使う。【００１１】  図１に示すように左から縦の縫い代端線１７、上前立妻線１８、上前おくみ線１９、上前脇線２０、背筋線２１、下前脇線２２、下前おくみ線２３、下前立妻線２４、縫い代端線２５、１７と１８、２４と２５の間隔は１ｃｍぐらいが好ましい１８から２４の間隔は、着物の寸法を基準に画面上写真着物１の大きさに合わせ縮小する。
２６の横線は、画面上写真着物１の裾に合わせる２７  の横線は、画面上写真着物１の肩山に合わせる。【００１２】  図２に示すように着物の寸法を基準に上記縮小寸法に従い衿の幅と長さをガイド線を使い、縦の縫い代端線３２、下縦の縫い代端線３３、横の縫い代端線３４、横の縫い代端線３５を表す。【００１３】  図２に示すように画面上写真着物を選択ツールで全体を範囲指定し指定された範囲を移動ツールでガイド線の縦１７と２５横２６と２７の中に入れる。【００１４】  図２に示すように予め模様ぼかしの入った袖部分２ａを選択ツールで範囲を指定し、画面上写真着物１以外に移動ツールを使いコピーし張り付ける。【００１５】  図２に示すように平均的に安定している地色の部分３ａを選択ツールで範囲を指定し、画面上にある写真着物の周囲に移動ツールを使いコピーし張り付ける。張り付けられた色の範囲部分を３ｂとしドラッグを使いコピーを繰り返し面積を増やす。【００１６】  次に、図２の３ｂで増やした地色部分を選択ツールで範囲を指定し、画面上の写真着物の地色部分と袖全体に、移動ツールを使いコピーで図３のように指定部分を張り付ける。その際、着物の写真部分の模様と染めぼかしの部分は、４の手前地色側で張り付けを止める。模様と染めぼかし、縫い込み５の部分は、スタンプツールでぼかしや模様の流れに合わせコピースタンプを繰り返しぼかし部分をなめらかにし模様部分を違和感の無い状態にします。【００１７】  次に、図３の１２ａ衿の地色部分を図２の３ｂで増やした地色部分を選択ツールで範囲指定し、指定部分を移動ツールを使いコピーで図３、１２ａのように衿全面に張り付ける。【００１８】  これでガイド線の縦１７と２５横２６と２７の中に影や縫い込みの無い着物ができる。
これを、反物にするために図１ガイド線２７の肩山どうしを脇線２０と２２を基準に接合する必要があり。接合させない１７と１９、２３と２５のおくみは図４選択ツールで範囲を１７から１９部分と１９から２０方向に少し入り縫い代部分とし、上下は２６と２７のところで範囲指定し指定部分６ａを移動ツールを使いガイド線の縦１７と２５横２６と２７の外側にコピーで張り付け６ｂを設ける。２３と２５のおくみも左右対称で９ａから同じ作業で９ｂを設ける。【００１９】  上前と上前後は、横線２７線上１９から２１の部分で接合する。接合させる１９と２０の上前は、選択ツールで範囲を１９から２０部分と１９から１８方向と２０から２１方向に少し入り縫い代部分とし上下は２６と２７のところで範囲指定し指定部分７ａを移動ツールを使いガイド線の縦１７と２５横２６と２７の外側にコピーし７ｂを設け、その７ｂを１８０度回転させる。【００２０】  次に、接合させる２０と２１、の上前側後は選択ツールで範囲を２０から２１部分と、２０から１９方向と２１から２２方向に少し入り縫い代部分とし、上下は２６と２７のところで範囲指定し指定部分８ａを移動ツールを使いガイド線の縦１７と２５横２６と２７の外側にコピーし８ｂを設ける７ｂ上前の肩山と８ｂ上前後の肩山を脇線２０を基準に接合する。
２２と２３の１０ａ、２１と２２の１１ａ下前と下前後も左右対称で同じ作業をし１０ｂと１１ｂを設け接合する。【００２１】  図２において、予め選択ツールで範囲を指定し着物の写真部分以外にドラッグを使いコピーし張り付けた袖模様２ｂを、肩山２７と脇線２０と２２を基準に図５、２ｂを選択ツールで範囲指定し元の袖位置に移動ツールを使い張り付ける。図５において、ガイド横線２８を写真袖底の位置に合わせる。２８ガイド線の位置が決まれば横線２７から２８まで同じ長さを２７を基準に反対側にガイド横線２９を設ける。１８と１９の間にガイド縦線３０内袖口線と２３と２４の間にガイド縦線３１出袖口線を設ける間隔は、着物の寸法を基準に画面上写真着物の大きさに合わせ縮小する。【００２２】  図２で増やされた地色部分３ｂを選択ツールでガイド縦線３０と２０の間、ガイド横線２９と２８の範囲を指定し写真袖の模様ぼかし以外の面を移動ツールを使いコピーを繰り返し地色を作り出す。但し、ガイド線３０と２０の内袖は選択ツールで範囲を３０から２０部分と３０から１８方向と、２０から２１方向に少し入り縫い代部分とする。その際、袖の写真部分の模様と染めぼかし部分の手前、地色側で張り付けを止める。【００２３】  模様と染めぼかし及び縫い込みの部分は、スタンプツールでぼかしや模様の流れに合わせコピースタンプを繰り返しぼかし部分をなめらかにし模様部分を違和感の無い状態にする。【００２４】  ３０と２０、の内袖は選択ツールで範囲を３０から２０部分と２０から２１方向に少し入り縫い代を取る。上下は２９と２８のところで範囲指定し指定部分をドラッグを使いガイド線の縦１７と２５横２６と２７の外側にコピーで張り付け２ｃとする。３１と２２の出袖も左右対称で同じ作業をします。【００２５】  衿は、図３において着物の寸法を基準に画面上写真着物の大きさに合わせ縮小した寸法でガイド線縦３２と３３横３４と３５を設け、増やされた地色部分３ｂを選択ツールで範囲指定しガイド線中の全体に範囲部分をドラッグを使いコピーで張り付ける。
更に、縦３２と３３下は３４と３５のところで範囲指定し指定部分１２ａを移動ツールを使いガイド線の外側に切り取り張り付け１２ｂを設ける。【００２６】  切り張りされた着物を生地出力の出来る出力装置に合わせた配置に整え染色し、染色された縮小の着物を仕立てる。
【発明を実施するための形態２】
【００２７】
【実施例】次に、本発明の実施の形態についてパソコン画面上を例にあげて説明する。【００２８】  図１に示すようにガイド線の縦１７と２５横２６と２７の中に模様を入れる又は、模様を作る。上記示すように袖以外は同じ作業で図４の反物にする。【００２９】  袖は図５に示すようにガイド横線２８を袖底の位置に合わせる２８のガイド線の位置が決まれば肩山２７から２８までの同じ長さを肩山２７を基準に反対側にガイド横線２９を設ける。１８と１９の間にガイド縦線３０内袖口線と２３と２４の間にガイド縦線３１出袖口線を設ける。間隔は、着物の寸法を基準に画面上写真着物の大きさに合わせ縮小する。３０と２０、３１と２２の袖は選択ツールで範囲を３０から２０にかけ少し２１に入り縫い代を取り上下は２９と２８のところで範囲指定し範囲部分をドラッグを使いガイド線の縦１７と２５横２６と２７の外にコピーで張り付ける。３１と２２の袖も左右対称で同じ作業をする。【００３０】  切り張りされた着物を、生地出力の出来る出力装置に合わせた配置に整え染色し、染色された縮小の着物を仕立てる。
【産業上の利用可能性】
【００３１】  着物の販売時に展示の着物を簡単に撮影するだけでミニアチュアの着物の提案ができ、振り袖などの親族の思い入れが深い着物でも複数作ればそれぞれが飾ることもできる。【００３２】  画像編集作業によりミニアチュア着物を作り出すことにより自由に縮小拡大ができ、捺染で必要な型が不必要となる。型染めの場合色の数だけ型紙が必要であるが、本発明は自由に配色が組める。
【図面の簡単な説明】
【図１】画面上写真着物１とガイド線の平面図
【図２】画面上写真着物１とガイド線を重ね、袖、衿、地色部分を設けた平面図
【図３】ガイド線上、着物と衿の地色部分コピー貼り付け平面図
【図４】袖以外を反物にする平面図
【図５】袖を反物にする平面図
【図６】反物完成平面図
【符号の説明】
１７  ガイド線  縫い代端し線
１８  ガイド線  上前、立妻線
１９  ガイド線  上前、おくみ線
２０  ガイド線  上前、脇線
２１  ガイド線  背筋線
２２  ガイド線  下前、脇線
２３  ガイド線  下前、おくみ線
２４  ガイド線  下前、立妻線
２５  ガイド線  縫い代端し線
２６  ガイド線  裾線
２７  ガイド線  肩山線
２８  ガイド線  袖底線
２９  ガイド線  袖底線
３０  ガイド線  袖口線
３１  ガイド線  袖口線
３２  ガイド線  縦の縫い代端線
３３  ガイド線  下縦の縫い代端線
３４  ガイド線  横の縫い代端線
３５  ガイド線  横の縫い代端線
１    画面上写真着物
２ａ  模様ぼかしの入った袖
２ｂ  模様ぼかしの入った袖をドラッグコピーで張り付け
２ｃ  模様ぼかしの入った袖をドラッグで張り付け
３ａ  平均的に安定している地色
３ｂ  ドラッグコピーを繰り返し面積を増やした場所
４    模様ぼかしと地色の間だ
５    画面上写真着物の縫込み線
６ａ  上前おくみ
６ｂ  縫い代を含んだ、上前おくみ
７ａ  上前
７ｂ  縫い代を含んだ、上前
８ａ  上前後
８ｂ  縫い代を含んだ、上前後
９ａ  下前おくみ
９ｂ  縫い代を含んだ、下前おくみ
１０ａ  下前
１０ｂ  縫い代を含んだ、下前
１１ａ  下前後
１１ｂ  縫い代を含んだ、下前後
１２ａ  平均的に安定している地色を張り付けた衿
１２ｂ  衿面積以外の地色を取り除いた
【図１】
2005205139.tif 000003
【図２】
2005205139.tif 000004
【図３】
2005205139.tif 000005
【図４】
2005205139.tif 000006
【図５】
2005205139.tif 000007
【手続補正書】
【提出日】平成16年4月19日(2004.4.19)
【手続補正１】
【補正対象書類名】明細書
【補正対象項目名】全文
【補正方法】変更
【補正の内容】
【発明の詳細な説明】
【技術分野】
【０００１】  ミニアチュア着物と着物を同じような染模様でミニアチュア着物に再現するためのパソコンとその画像編集、入力  装置、出力装置に関する。
【背景技術】
【０００２】  従来、この種の技術は無く、ミニアチュア着物として市松人形の着物、日本人形の着物などがプリント、友禅染、捺染技術等染織を用いている。
【発明の開示】
【発明が解決しようとする課題】
【０００３】  従来小さな着物は、市松人形や日本人形の着物などが捺染技術を用いて製造されていた。本発明は、パソコンを使い従来の型染めでは無く、画像編集作業によりミニアチュア着物を作り出すことで自由に縮小拡大ができ、捺染で必要な型が不必要となる。型染めの場合色の数だけ型紙が必要であるが、本発明は自由に配色が組める。【０００４】  更に、きものを衣桁に掛けた状態で、フィルムカメラやデジタルカメラで撮影した写真は、撮影時に簡単に撮影するため、しわや影ができる。また、仕立てあがった着物は縫い目が写真に写ってしまい均一な染色ができない。【０００５】  写真で撮った着物は着るために仕立てあがったものであり、それを展開し反物のように再現しなければ実物の縮小着物の再現は困難である。
上記小さな着物も画像編集で実行できるように課題として研究をすすめた。
【課題を解決するための手段】
【０００６】  本発明は、その困難な画像処理で反物のように展開するために次のような手段を発見した。
着物を衣桁等に掛けた形態で、フィルムカメラやデジタルカメラを使用し簡単に撮影した写真及びデーターをパソコンに入力し、グラフィックソフトを使いガイド線を表示させ小さな着物の寸法を現し、写真画像をあてはめ模様や繊細な染めぼかし部分の縫い目や影をスタンプツールで違和感のないような状態にし、仕立て上げるために画像を反物のようにつなぎ合わせ現寸大の着物をミニアチュア着物にする。
【発明の効果】
【０００７】  自分の手元にあるお気に入りの着物を着るだけではなく、いつも見て楽しむことができ、ミニアチュアとして飾ることができる。【０００８】  更に、画像編集作業によりミニアチュア着物を作り出すことにより自由に縮小拡大ができ、捺染で必要な型が不必要となる。型染めの場合色の数だけ型紙が必要であるが、本発明は自由に配色が組める。
【発明を実施するための最良の形態１】
【０００９】
【実施例】次に、本発明の実施の形態についてパソコン画面上を例にあげて説明する。【００１０】  本発明は、着物を衣桁に掛けた状態で、フィルムカメラやデジタルカメラで簡単に撮影された着物の写真をパソコンに入力し、グラフィックソフト好ましくはＡｄｏｂｅＰｈｏｔｏｓｈｏｐを使い画面上で写真を一致させるため、着物を後ろから見た形の縫い込み線と端の線をグラフィックソフトの定規を表示させガイド線を使う。【００１１】  図１に示すように左から縦の縫い代端線１７、上前立妻線１８、上前おくみ線１９、上前脇線２０、背筋線２１、下前脇線２２、下前おくみ線２３、下前立妻線２４、縫い代端線２５、１７と１８、２４と２５の間隔は１ｃｍぐらいが好ましい１８から２４の間隔は、着物の寸法を基準に画面上写真着物１の大きさに合わせ縮小或いは、拡大する。
２６の横線は、画面上写真着物１の裾に合わせる２７  の横線は、画面上写真着物１の肩山に合わせる。【００１２】  図２に示すように着物の寸法を基準に上記縮小或いは、拡大寸法に従い衿の幅と長さをガイド線を使い、縦の縫い代端線３２、縦の縫い代端線３３、横の縫い代端線３４、横の縫い代端線３５を表す。【００１３】  図２に示すように画面上写真着物を選択ツールで全体を範囲指定し指定された範囲を移動ツールでガイド線の縦１７と２５横２６と２７の中に入れる。【００１４】  図２に示すように予め模様ぼかしの入った袖部分２ａを選択ツールで範囲を指定し、画面上写真着物１以外に移動ツールを使いコピーし張り付ける。【００１５】  図２に示すように平均的に安定している地色の部分３ａを選択ツールで範囲を指定し、画面上にある写真着物の周囲に移動ツールを使いコピーし張り付ける。張り付けられた色の範囲部分を３ｂとしドラッグを使いコピーを繰り返し面積を増やす。【００１６】  次に、図２の３ｂで増やした地色部分を選択ツールで範囲を指定し、画面上の写真着物の地色部分と袖全体に、移動ツールを使いコピーで図３のように指定部分を張り付ける。その際、着物の写真部分の模様と染めぼかしの部分は、４の手前地色側で張り付けを止める。模様と染めぼかし、縫い込み５の部分は、スタンプツールでぼかしや模様の流れに合わせコピースタンプを繰り返しぼかし部分をなめらかにし模様部分を違和感の無い状態にします。【００１７】  次に、図３の１２ａ衿の地色部分を図２の３ｂで増やした地色部分を選択ツールで範囲指定し、指定部分を移動ツールを使いコピーで図３、１２ａのように衿全面に張り付ける。【００１８】  これでガイド線の縦１７と２５横２６と２７の中に影や縫い込みの無い着物ができる。
これを、反物にするために図１ガイド線２７の肩山どうしを脇線２０と２２を基準に接合する必要があり。接合させない１７と１９、２３と２５のおくみは図４選択ツールで範囲を１７から１９部分と１９から２０方向に少し入り縫い代部分とし、上下は２６と２７のところで範囲指定し指定部分６ａを移動ツールを使いガイド線の縦１７と２５横２６と２７の外側にコピーで張り付け６ｂを設ける。２３と２５のおくみも左右対称で９ａから同じ作業で９ｂを設ける。【００１９】  上前と上前後は、横線２７線上１９から２１の部分で接合する。接合させる１９と２０の上前は、選択ツールで範囲を１９から２０部分と１９から１８方向と２０から２１方向に少し入り縫い代部分とし上下は２６と２７のところで範囲指定し指定部分７ａを移動ツールを使いガイド線の縦１７と２５横２６と２７の外側にコピーし７ｂを設け、その７ｂを１８０度回転させる。【００２０】  次に、接合させる２０と２１、の上前側後は選択ツールで範囲を２０から２１部分と、２０から１９方向と２１から２２方向に少し入り縫い代部分とし、上下は２６と２７のところで範囲指定し指定部分８ａを移動ツールを使いガイド線の縦１７と２５横２６と２７の外側にコピーし８ｂを設ける７ｂ上前の肩山と８ｂ上前後の肩山を脇線２０を基準に接合する。
２２と２３の１０ａ、２１と２２の１１ａ下前と下前後も左右対称で同じ作業をし１０ｂと１１ｂを設け接合する。【００２１】  図２において、予め選択ツールで範囲を指定し着物の写真部分以外にドラッグを使いコピーし張り付けた袖模様２ｂを、肩山２７と脇線２０と２２を基準に図５、２ｂを選択ツールで範囲指定し元の袖位置に移動ツールを使い張り付ける。図５において、ガイド横線２８を写真袖底の位置に合わせる。２８ガイド線の位置が決まれば横線２７から２８まで同じ長さを２７を基準に反対側にガイド横線２９を設ける。１８と１９の間にガイド縦線３０内袖口線と２３と２４の間にガイド縦線３１出袖口線を設ける間隔は、着物の寸法を基準に画面上写真着物の大きさに合わせ縮小或いは、拡大する。【００２２】  図５において、図２で増やされた地色部分３ｂを選択ツールでガイド縦線３０と２０の間、ガイド横線２９と２８の範囲を指定し写真袖の模様ぼかし以外の面を移動ツールを使いコピーを繰り返し地色を作り出す。但し、ガイド線３０と２０の内袖は選択ツールで範囲を３０から２０部分と３０から１８方向と、２０から２１方向に少し入り縫い代部分とする。その際、袖の写真部分の模様と染めぼかし部分の手前、地色側で張り付けを止める。【００２３】  袖部分の模様と染めぼかし及び縫い込みの部分は、スタンプツールでぼかしや模様の流れに合わせコピースタンプを繰り返しぼかし部分をなめらかにし模様部分を違和感の無い状態にする。【００２４】  ３０と２０、の内袖は選択ツールで範囲を３０から２０部分と２０から２１方向に少し入り縫い代を取る。上下は２９と２８のところで範囲指定し指定部分をドラッグを使いガイド線の縦１７と２５横２６と２７の外側にコピーで張り付け２ｃとする。３１と２２の出袖も左右対称で同じ作業をします。【００２５】  衿は、図３において着物の寸法を基準に画面上写真着物の大きさに合わせ縮小した寸法でガイド線縦３２と３３横３４と３５を設け、増やされた地色部分３ｂを選択ツールで範囲指定しガイド線中の全体に範囲部分をドラッグを使いコピーで張り付ける。
更に、縦３２と３３横は３４と３５のところで範囲指定し指定部分１２ａを移動ツールを使いガイド線の外側に切り取り張り付け１２ｂを図４で設ける。【００２６】  切り張りされた着物を生地出力の出来る出力装置に合わせた配置に整え染色し、染色された縮小の着物を仕立てる。
【発明を実施するための形態２】
【００２７】
【実施例】次に、本発明の実施の形態についてパソコン画面上を例にあげて説明する。【００２８】  図１に示すようにガイド線の縦１７と２５横２６と２７の中に模様を入れる又は、模様を作る。上記示すように袖以外は同じ作業で図４の反物にする。【００２９】  袖は図５に示すようにガイド横線２８を袖底の位置に合わせる２８のガイド線の位置が決まれば肩山２７から２８までの同じ長さを肩山２７を基準に反対側にガイド横線２９を設ける。１８と１９の間にガイド縦線３０内袖口線と２３と２４の間にガイド縦線３１出袖口線を設ける。間隔は、着物の寸法を基準に画面上写真着物の大きさに合わせ縮小或いは、拡大する。３０と２０、３１と２２の袖は選択ツールで範囲を３０から２０にかけ少し２１に入り縫い代を取り上下は２９と２８のところで範囲指定し範囲部分をドラッグを使いガイド線の縦１７と２５横２６と２７の外にコピーで張り付ける。３１と２２の袖も左右対称で同じ作業をする。【００３０】  切り張りされた着物を、生地出力の出来る出力装置に合わせた配置に整え染色し、染色された縮小の着物を仕立てる。
【産業上の利用可能性】
【００３１】  着物の販売時に展示の着物を簡単に撮影するだけでミニアチュアの着物の提案ができ、振り袖などの親族の思い入れが深い着物でも複数作ればそれぞれが飾ることもできる。【００３２】  画像編集作業によりミニアチュア着物を作り出すことにより自由に縮小拡大ができ、捺染で必要な型が不必要となる。型染めの場合色の数だけ型紙が必要であるが、本発明は自由に配色が組める。
【図面の簡単な説明】
【００３３】
【図１】画面上写真着物１とガイド線の平面図
【図２】画面上写真着物１とガイド線を重ね、袖、衿、地色部分を設けた平面図
【図３】ガイド線上、着物と衿の地色部分コピー貼り付け平面図
【図４】袖以外を反物にする平面図
【図５】袖を反物にする平面図
【符号の説明】
【００３４】１７の縦線は、縫い代端し線のガイド線
１８の縦線は、上前、立妻線のガイド線
１９の縦線は、上前、おくみ線のガイド線
２０の縦線は、上前、脇線のガイド線
２１の縦線は、背筋線のガイド線
２２の縦線は、下前、脇線のガイド線
２３の縦線は、下前、おくみ線のガイド線
２４の縦線は、下前、立妻線のガイド線
２５の縦線は、縫い代端し線のガイド線
２６の横線は、裾線のガイド線
２７の横線は、肩山線のガイド線
２８の横線は、袖底線のガイド線
２９の横線は、袖底線のガイド線
３０の縦線は、袖口線のガイド線
３１の縦線は、袖口線のガイド線
３２の縦線は、衿縦の縫い代端線のガイド線
３３の縦線は、衿縦の縫い代端線のガイド線
３４の横線は、衿横の縫い代端線のガイド線
３５の横線は、衿横の縫い代端線のガイド線
１は、画面上写真着物
２ａは、模様ぼかしの入った袖
２ｂは、模様ぼかしの入った袖をドラッグコピーで張り付けた場所
２ｃは、模様ぼかしの入った袖をドラッグで張り付けた場所
３ａは、平均的に安定している地色部分
３ｂは、ドラッグコピーを繰り返し面積を増やした場所
４の斜め線は、模様ぼかしと地色の間だ
５の縦線は、画面上写真着物の縫込み線
６ａの場所は、上前おくみ
６ｂは、縫い代を含んだ、上前おくみをドラッグコピーで張り付けた場所
７ａの場所は、上前
７ｂは、縫い代を含んだ、上前をドラッグコピーで張り付けた場所
８ａの場所は、上前後
８ｂは、縫い代を含んだ、上前後をドラッグコピーで張り付けた場所
９ａの場所は、下前おくみ
９ｂは、縫い代を含んだ、下前おくみをドラッグコピーで張り付けた場所
１０ａの場所は、下前
１０ｂは、縫い代を含んだ、下前をドラッグコピーで張り付けた場所
１１ａの場所は、下前後
１１ｂは、縫い代を含んだ、下前後をドラッグコピーで張り付けた場所
１２ａは、平均的に安定している地色を張り付けた衿部分
１２ｂは、衿面積以外の地色を取り除いた部分